(57)【要約】【課題】小さな空間で安定して吊り上げることができるエレベータ用昇降路ユニットを得ることを目的とする。【解決手段】枠体１は、矩形状の下枠２と、下枠２の上方に配置された矩形状の上枠７と、下枠２と上枠７との間の四隅に固定された４本の縦柱３〜６とを有している。縦柱３〜６の中間部には、吊りプレート３ｂ，４ｂ，５ｂ，６ｂが固定されている。吊りプレート３ｂ〜６ｂには、吊り上げ用の吊り索１２が接続される吊り穴８〜１１が設けられている。互いに対角に位置する吊りプレート３ｂ，５ｂの間、及び４ｂ，６ｂの間には、補強用の突っ張り部材１３，１４が着脱可能に取り付けられている。また、互いに隣り合う吊りプレート３ｂ，６ｂの間、及び４ｂ，５ｂの間には、足場パネルを支持するためのパネル支持部材１５，１６が着脱可能に取り付けられている。【選択図】        図１
2004203596.tif 000002
【特許請求の範囲】
【請求項１】
下枠と、上記下枠の上方に配置された上枠と、上記下枠と上記上枠との間に設けられ、かつ互いに間隔を置いて配置された複数の縦柱とを有し、内側に昇降路を形成する枠体を備え、
上記縦柱の中間部には、吊り上げ用の吊り索が接続される吊り索接続部が設けられていることを特徴とするエレベータ用昇降路ユニット。
【請求項２】
上記縦柱は、上記上枠及び上記下枠に固定された縦柱本体と、上記縦柱本体に設けられた吊り部材とを有し、
上記吊り索接続部は、上記吊り部材に設けられていることを特徴とする請求項１に記載のエレベータ用昇降路ユニット。
【請求項３】
上記吊り部材は、上記縦柱本体から上記吊り索による張力の方向に沿って延びる吊りプレートであることを特徴とする請求項２に記載のエレベータ用昇降路ユニット。
【請求項４】
上記枠体は、直方体であり、
上記縦柱は、上記枠体の四隅に配置されており、
互いに対角に位置する上記縦柱間に配置され、上記縦柱に対して着脱可能な補強用の突っ張り部材をさらに備えていることを特徴とする請求項１乃至請求項３の何れかに記載のエレベータ用昇降路ユニット。
【請求項５】
上記枠体は、直方体であり、
上記縦柱は、上記枠体の四隅に配置されており、
互いに対角に位置する上記吊り部材間に配置され、上記吊り部材に対して着脱可能な補強用の突っ張り部材をさらに備えていることを特徴とする請求項２又は請求項３に記載のエレベータ用昇降路ユニット。
【請求項６】
上記縦柱に対して着脱可能なパネル支持部材と、上記パネル支持部材に支持される足場パネルとをさらに備えていることを特徴とする請求項１乃至請求項５の何れかに記載のエレベータ用昇降路ユニット。
【請求項７】
上記吊り部材に対して着脱可能なパネル支持部材と、上記パネル支持部材に支持される足場パネルとをさらに備えていることを特徴とする請求項２、請求項３及び請求項５の何れかに記載のエレベータ用昇降路ユニット。
【発明の詳細な説明】
【０００１】
【発明の属する技術分野】
この発明は、エレベータの昇降路を構成するエレベータ用昇降路ユニットに関するものである。
【０００２】
【従来の技術】
従来のエレベータ用昇降路ユニットは、互いに対向する矩形状の上枠及び下枠と、上枠及び下枠の四隅同士を連結する４本の縦柱とから構成された直方体の枠体を備えている。このエレベータ用昇降路ユニットを複数積み重ねることにより、１つの昇降路が構成される。上枠及び下枠には、吊り上げ用のフックが４つずつ固定されている。従来の枠体は、吊り索が上枠あるいは下枠のいずれかのフックに繋がれて、ユニット積み重ねのために吊り上げられる（例えば、特許文献１参照）。
【０００３】
【特許文献１】
特開平８−２０８１５０号公報
【０００４】
【発明が解決しようとする課題】
しかしながら、吊り索が上枠のフックに繋がれる場合、上枠の上方に吊り索の吊り具であるウィンチ等を配置する必要があるので、枠体の上方に吊り上げのための十分な空間が必要になる。
【０００５】
また、吊り索が下枠のフックに繋がれる場合、枠体の重心よりも下方に吊り索が繋がれるので、枠体の状態が不安定になり、枠体が吊り上げ作業中に転倒する虞がある。
【０００６】
そこでこの発明は、上記のような問題点を解決することを課題とするもので、小さな空間で安定して吊り上げることができるエレベータ用昇降路ユニットを得ることを目的とする。
【０００７】
【課題を解決するための手段】
この発明に係るエレベータ用昇降路ユニットは、下枠と、下枠の上方に配置された上枠と、下枠と上枠との間に設けられ、かつ互いに間隔を置いて配置された複数の縦柱とを有し、内側に昇降路を形成する枠体を備え、縦柱の中間部には、吊り上げ用の吊り索が接続される吊り索接続部が設けられている。
【０００８】
【発明の実施の形態】
以下、この発明の実施の形態を図面を参照しながら説明する。
実施の形態１．
図１は、この発明の実施の形態１によるエレベータ用昇降路ユニットを示す斜視図である。図において、エレベータ用昇降路ユニットは、枠体１を備えている。枠体１は、矩形状の下枠２と、下枠２の上方に配置された矩形状の上枠７と、下枠２と上枠７との間に設けられ、かつ互いに間隔を置いて配置された４本の縦柱３，４，５，６とを有している。縦柱３〜６は、下枠２及び上枠７の四隅に固定されている。即ち、枠体１の形状は、直方体となっている。昇降路は、複数の枠体１が積み重ねられることにより枠体１の内側に形成される。
【０００９】
縦柱３，４，５，６は、棒状の縦柱本体３ａ，４ａ，５ａ，６ａと、縦柱本体３ａ，４ａ，５ａ，６ａの中間部にそれぞれ固定された吊り部材である吊りプレート３ｂ，４ｂ，５ｂ，６ｂとを有している。縦柱本体３ａ〜６ａは、下枠２の四隅と上枠７の四隅との間に固定されている。吊りプレート３ｂ〜６ｂは、それぞれ縦柱本体３ａ〜６ａの軸線に沿って配置されている。また、吊りプレート３ｂ〜６ｂは、縦柱本体３ａ〜６ａから枠体１の内側に向かってそれぞれ延出されている。ここでは、互いに対角に位置する吊りプレート３ｂ，５ｂ及び吊りプレート４ｂ，６ｂが互いの吊りプレートに向かってそれぞれ延出されている。
【００１０】
吊りプレート３ｂ，４ｂ，５ｂ，６ｂの上枠７側には、吊り索接続部である吊り穴８，９，１０，１１が設けられている。吊り穴８〜１１には、枠体１を吊り上げる際に、吊り上げ用の吊り索１２が接続される。吊り穴８〜１１にそれぞれ接続された吊り索１２は、枠体１が安定するように枠体１の中央付近で集結され、集結点よりも上方に配置された吊り具であるウィンチ（図示しない）により巻き上げられる。枠体１は、ウィンチの巻き上げにより吊り上げられる。なお、吊りプレート３ｂ〜６ｂは、縦柱本体３ａ〜６ａから吊り索１２による張力の方向に延出されている。
【００１１】
また、吊りプレート３ｂ〜６ｂには、補強用の棒状部材である突っ張り部材１３，１４が取り付けられている。突っ張り部材１３は吊りプレート３ｂと吊りプレート５ｂとの間に取り付けられ、突っ張り部材１４は吊りプレート４ｂと吊りプレート６ｂとの間に取り付けられている。即ち、突っ張り部材１３，１４は、互いに対角に位置する吊りプレート３ｂ，５ｂの間及び４ｂ，６ｂの間にそれぞれ取り付けられ、互いに交差している。突っ張り部材１３，１４は、吊りプレート３ｂ〜６ｂに対してボルト及びナットにより着脱可能になっており、枠体１の変形を防止するために吊りプレート３ｂ〜６ｂに取り付けられる。
【００１２】
さらに、吊りプレート３ｂ〜６ｂの下枠２側には、棒状のパネル支持部材１５，１６が取り付けられている。パネル支持部材１５は吊りプレート３ｂと吊りプレート６ｂとの間に取り付けられ、パネル支持部材１６は吊りプレート４ｂと吊りプレート５ｂとの間に取り付けられている。即ち、パネル支持部材１５，１６は、互いに隣り合う吊りプレート３ｂ，６ｂの間及び４ｂ，５ｂの間にそれぞれ取り付けられ、同一水平面内で互いに平行に配置されている。パネル支持部材１５，１６は、吊りプレート３ｂ〜６ｂに対してボルト及びナットにより着脱可能になっている。
【００１３】
図２は、図１のパネル支持部材１５，１６に足場パネルが取り付けられた状態を示す斜視図である。なお、図２では、図１の吊り索１２及び突っ張り部材１３，１４が取り外された状態を示している。図において、パネル支持部材１５，１６には、作業者の足場用の３枚の足場パネル２０が載せられている。各足場パネル２０は、パネル支持部材１５，１６間に水平に配置された乗り板２１と、乗り板２１のパネル支持部材１５，１６側に２つずつ取り付けられ、パネル支持部材１５，１６に掛けられたフック状の足場掛金具２２とを有している。
【００１４】
次に、作業手順について説明する。
まず、枠体１の吊り上げの前に、突っ張り部材１３，１４、パネル支持部材１５，１６が枠体１に取り付けられ、各足場パネル２０がパネル支持部材１５，１６に載せられる。この後、吊り索１２が吊り穴８〜１１に接続されてウィンチにより巻き上げられる。これにより、枠体１は吊り上げ運搬される。枠体１が設置場所に運搬され設置された後、作業者により、吊り索１２及び突っ張り部材１３，１４が取り外される（図２）。この後、２段目の枠体１が同様に運搬され、１段目の枠体１上に積み重ねられる。
【００１５】
この後、足場パネル２０上に移動した作業者により、１段目と２段目の枠体１同士が接続され、２段目の枠体１の突っ張り部材１３，１４が取り外される。
【００１６】
このような作業が繰り返されることにより、必要数の枠体１が積み重ねられる。最後に、パネル支持部材１５，１６及び足場パネル２０が上段から順にすべて取り外され、昇降路が形成される。
なお、上記の作業手順（据付方法）では、枠体１の吊り上げ前に各足場パネル２０をパネル支持部材１５，１６に載せるようにしているが、枠体１を設置してから各足場パネル２０をパネル支持部材１５，１６に載せるようにしてもよい。
【００１７】
このように、この実施の形態によるエレベータ用昇降路ユニットでは、吊り穴８〜１１が縦柱３〜６の中間部にそれぞれ設けられているので、吊り索１２の接続位置が下枠２よりも上方になり、枠体１を安定して吊り上げることができる。また、ウィンチは上枠７に吊り索１２が接続される場合よりも下方に配置されるので、吊り上げに必要な枠体１の上方の空間を小さくすることができる。即ち、枠体１の吊り上げ運搬による制約を緩和することができ、エレベータ用昇降路ユニットを容易に設置することができる。
【００１８】
また、吊り穴８〜１１が吊りプレート３ｂ〜６ｂに設けられているので、吊り穴８〜１１の形成による縦柱３〜６の強度の低下を防止することができる。また、吊り索１２の接続位置を枠体１の中央付近の重心に近づけることができるので、枠体１をさらに安定して吊り上げることができる。
【００１９】
また、吊りプレート３ｂ〜６ｂの延出方向が吊り索１２による張力の方向となっているので、吊りプレート３ｂ〜６ｂに大きな曲げ応力が作用することを防止することができる。従って、吊りプレート３ｂ〜６ｂの負担を小さくでき、枠体１を無理なく安定して吊り上げることができる。
【００２０】
また、突っ張り部材１３，１４は、互いに対角に位置する吊りプレート３ｂ，５ｂの間及び４ｂ，６ｂの間にそれぞれ取り付けられているので、枠体１の内側への変形を簡単な構造で防止することができる。従って、枠体１の強度を吊り上げ作業だけのために必要以上に大きくする必要がなく、枠体１を安価で軽量にすることができる。
【００２１】
また、吊り索１２、突っ張り部材１３，１４及びパネル支持部材１５，１６は、吊りプレート３ｂ〜６ｂにすべて取り付けられるようになっているので、吊り穴８〜１１、突っ張り部材１３，１４の取付部分及びパネル支持部材１５，１６の取付部分の加工を吊りプレート３ｂ〜６ｂに集約することができ、枠体１を安価で容易に作製することができる。
【００２２】
また、足場パネル２０は、吊りプレート３ｂ〜６ｂに対して着脱可能なパネル支持部材１５，１６によって支持されるようになっているので、枠体１が積み重ねられる度ごとに、作業者の足場を確保することができる。従って、作業を容易に行うことができ、エレベータ用昇降路ユニットの設置時間を削減することができる。
【００２３】
なお、吊り穴８〜１１は、縦柱本体３ａ〜６ａに直接設けてもよい。また、突っ張り部材１３，１４及びパネル支持部材１５，１６は、縦柱本体３ａ〜６ａに直接取り付けられるようになっていてもよい。
また、突っ張り部材１３，１４は、パネル支持部材１５，１６の下方に配置されていてもよい。
【００２４】
また、吊り索接続部は、吊り穴に限定されず、例えばフック等であってもよい。
【００２５】
また、上記の例では、縦柱が四隅のみに設けられた枠体を示したが、縦柱の数は４本に限定されない。
【００２６】
また、上記の例では、全ての縦柱に吊り穴を設けたが、必要に応じ一部の縦柱に選択的に吊り穴を設けてもよい。
さらに、枠体の形状は、直方体に限定されない。
【００２７】
【発明の効果】
以上の説明から明らかなように、この発明に係るエレベータ用昇降路ユニットは、下枠と上枠との間に設けられ、かつ互いに間隔を置いて配置された複数の縦柱とを有し、内側に昇降路を形成する枠体を備え、縦柱の中間部には、吊り上げ用の吊り索が接続される吊り索接続部が設けられているので、枠体を安定して吊り上げることができ、かつ、吊り上げに必要な枠体の上方の空間を小さくすることができる。
【図面の簡単な説明】
【図１】この発明の実施の形態１によるエレベータ用昇降路ユニットを示す斜視図である。
【図２】図１のパネル支持部材に足場パネルが取り付けられた状態を示す斜視図である。
【符号の説明】
１  枠体、２  下枠、３，４，５，６  縦柱、３ａ，４ａ，５ａ，６ａ  縦柱本体、３ｂ，４ｂ，５ｂ，６ｂ  吊りプレート（吊り部材）、７  上枠、８，９，１０，１１  吊り穴（吊り索接続部）、１２  吊り索、１３，１４  突っ張り部材、１５，１６  パネル支持部材、２０  足場パネル。
【図１】
2004203596.tif 000003
【図２】
2004203596.tif 000004